(57)【特許請求の範囲】
【請求項１】
クライアントが運営する店舗に設置され、デザインデータに基づき需要者にネイルアートを提供するネイルプリンタと、前記ネイルプリンタが設置された店舗を運営する前記クライアントが保有するクライアント端末と、にネットワークを介して接続されたデータ管理サーバであって、
前記データ管理サーバは、
少なくとも前記クライアントが運営する前記店舗の識別情報と、前記デザインデータの識別情報と、前記店舗にて設置された前記ネイルプリンタによって前記デザインデータが利用された日付と、の相互の対応関係を管理する、前記デザインデータの利用履歴データテーブルと、少なくとも前記デザインデータの識別情報と、前記デザインデータと、の相互の対応関係を管理する、デザインデータテーブルと、少なくとも前記クライアントが運営する店舗の識別情報と、少なくとも前記クライアントが運営する店舗に関する情報と、の相互の対応関係を管理する、クライアントデータテーブルを参照し、各対応関係に基づき、少なくとも前記クライアントが運営する店舗ごとの前記デザインデータの利用履歴に関する集計データを生成し、
前記集計データの少なくとも一部を前記クライアント端末に出力する、
ことを特徴とするデータ管理サーバ。
【請求項２】
クライアントが運営する店舗に設置され、デザインデータに基づき需要者にネイルアートを提供するネイルプリンタと、前記ネイルプリンタが設置された店舗を運営するクライアントが保有するクライアント端末と、にネットワークを介して接続されたデータ管理サーバであって、
前記データ管理サーバは、
少なくとも前記クライアントが運営する前記店舗の識別情報と、前記デザインデータの識別情報と、前記店舗にて設置された前記ネイルプリンタによって前記デザインデータが利用された日付と、の相互の対応関係を管理する、前記デザインデータの利用履歴データテーブルと、少なくとも前記デザインデータの識別情報と、前記デザインデータと、の相互の対応関係を管理する、デザインデータテーブルと、少なくとも前記クライアントが運営する店舗の識別情報と、少なくとも前記クライアントが運営する店舗がある地域に関する情報を含む少なくとも前記クライアントが運営する店舗に関する情報と、の相互の対応関係を管理する、クライアントデータテーブルを参照し、各対応関係に基づき、少なくとも前記地域ごとの前記デザインデータの利用履歴に関する集計データを生成し、
前記集計データの少なくとも一部を前記クライアント端末に出力する、
ことを特徴とするデータ管理サーバ。
【請求項３】
請求項１または２に記載のデータ管理サーバであって、
前記デザインデータの利用履歴データテーブルにおいては、前記需要者の識別情報と、の相互の対応関係もさらに管理されており、
前記データ管理サーバは、少なくとも前記需要者の識別情報と、前記需要者の属性情報と、の相互の対応関係を管理する、需要者データテーブルをさらに参照して、各対応関係に基づき、少なくとも前記需要者の属性情報ごとの前記デザインデータの利用履歴に関する前記集計データを生成する、
ことを特徴とするデータ管理サーバ。
【請求項４】
請求項１乃至３に記載のデータ管理サーバであって、
前記デザインデータは、少なくとも前記ネイルアートのデザインを利用するシーン、対象需要者層、デザインの種類、カラーの種類、ネイルアートの種類のいずれかを含むタグデータを含み、
前記データ管理サーバは、さらに前記タグデータを参照して、各対応関係に基づき、少なくとも前記タグデータごとの前記デザインデータの利用履歴に関する前記集計データを生成する、
ことを特徴とするデータ管理サーバ。
【請求項５】
請求項１乃至４に記載のデータ管理サーバであって、
前記データ管理サーバは、前記集計データに基づき検索または生成された前記デザインデータの画像を、前記クライアント端末または需要者端末において閲覧可能にする、
ことを特徴とするデータ管理サーバ。
【請求項６】
請求項１乃至５に記載のデータ管理サーバであって、
前記データ管理サーバは、前記集計データの利用履歴に関する情報に基づき、少なくとも利用頻度の高いデザインデータに用いられている素材を利用して新規のデザインデータを自動生成する、
ことを特徴とするデータ管理サーバ。
【請求項７】
請求項１乃至６に記載のデータ管理サーバであって、
前記データ管理サーバは、前記需要者の識別情報を判定し、前記需要者の識別情報に基づいて前記需要者が利用したデザインデータの利用履歴を前記利用履歴データテーブルから参照して需要者のニーズの傾向を判定し、当該傾向に合致したデザインデータを前記クライアント端末または前記ネイルプリンタにて確認可能とする、
ことを特徴とするデータ管理サーバ。
【請求項８】
請求項１乃至７に記載のデータ管理サーバであって、
前記データ管理サーバは、
さらに前記ネットワークを介して企業端末に接続されており、
前記企業端末から、企業の販売物またはサービスのデザインまたはコンセプトに関する情報を受信する、
ことを特徴とするデータ管理サーバ。
【請求項９】
クライアントが運営する店舗に設置され、デザインデータに基づき需要者にネイルアートを提供するネイルプリンタと、前記ネイルプリンタが設置された店舗を運営するクライアントが保有するクライアント端末と、にネットワークを介して接続されたデータ管理サーバを用いたデータ管理方法であって、
前記データ管理サーバにより、
少なくとも前記クライアントが運営する前記店舗の識別情報と、前記デザインデータの識別情報と、前記店舗にて設置された前記ネイルプリンタによって前記デザインデータが利用された日付と、の相互の対応関係を管理する、前記デザインデータの利用履歴データテーブルと、少なくとも前記デザインデータの識別情報と、前記デザインデータと、の相互の対応関係を管理する、デザインデータテーブルと、少なくとも前記クライアントが運営する店舗の識別情報と、少なくとも前記クライアントが運営する店舗に関する情報と、の相互の対応関係を管理する、クライアントデータテーブルを参照し、各対応関係に基づき、少なくとも前記クライアントが運営する店舗ごとの前記デザインデータの利用履歴に関する集計データを生成し、
前記集計データの少なくとも一部を前記クライアント端末に出力する、
ことを特徴とするデータ管理方法。
【請求項１０】
クライアントが運営する店舗に設置され、デザインデータに基づき需要者にネイルアートを提供するネイルプリンタと、前記ネイルプリンタが設置された店舗を運営するクライアントが保有するクライアント端末と、にネットワークを介して接続されたデータ管理サーバを用いたデータ管理方法であって、
前記データ管理サーバにより、
少なくとも前記クライアントが運営する前記店舗の識別情報と、前記デザインデータの識別情報と、前記店舗にて設置された前記ネイルプリンタによって前記デザインデータが利用された日付と、の相互の対応関係を管理する、前記デザインデータの利用履歴データテーブルと、少なくとも前記デザインデータの識別情報と、前記デザインデータと、の相互の対応関係を管理する、デザインデータテーブルと、少なくとも前記クライアントが運営する店舗の識別情報と、少なくとも前記クライアントが運営する店舗がある地域に関する情報を含む少なくとも前記クライアントが運営する店舗に関する情報と、の相互の対応関係を管理する、クライアントデータテーブルを参照し、各対応関係に基づき、少なくとも地域ごとの前記デザインデータの利用履歴に関する集計データを生成し、
前記集計データの少なくとも一部を前記クライアント端末に出力する、
ことを特徴とするデータ管理方法。
【発明の詳細な説明】
【技術分野】
【０００１】
本発明は、データ管理サーバ、データ管理方法に関する。
【背景技術】
【０００２】
従来、ネイルサロン等では、ネイリストが需要者の要望に合わせて、需要者の爪またはネイルチップへの着色や装飾（いわゆる、ネイルアート）を施す。このネイルアートの仕上がりの程度は、ネイリストの能力やセンス、これまでの経験などによって大きく異なる。
【０００３】
そこで、最近では、ネイルプリンタが広まってきており、業務用から家庭用まで様々なネイルプリンタが販売されている（例えば、特許文献１参照）。これを導入することにより、ネイリストの能力等に依存せずに、精度の高い仕上がりのネイルアートを短時間で需要者に提供することができるようになった。
【０００４】
また、ネイルデザインについても、ネイルプリンタを導入することで改善されている。すなわち、従前は、ネイリストや店舗の提案するデザインの中から需要者が選択したネイルデザインを需要者の爪またはネイルチップに施していたため、デザインの選択肢が少なかった。一方で、需要者がインターネットなどで見つけたネイルデザインを持参して来店することも少なくないが、このネイルデザインを希望通りに実現できるかどうかは、やはりネイリストの能力等に依存することとなっていた。しかしながら、ネイルプリンタを導入した場合には、ネイルプリンタ自体にデザインが記憶されているため、ネイリストや店舗の提案やネイリストの能力等に依存せずに、デザインの選択肢を増やすことができた。
【先行技術文献】
【特許文献】
【０００５】
【特許文献１】特開２０００−１９４８３８号公報
【発明の概要】
【発明が解決しようとする課題】
【０００６】
しかしながら、ネイルプリンタを導入したとしても、クライアントが扱う需要者のニーズを把握することは依然として困難である。例えば、店舗が作成している売上に関するデータにはデザインに関する情報が紐づいていないため、ネイリストが個人的に感じている需要者ニーズ、インターネット上の検索情報などを頼りにニーズを推測するしかなく、クライアントが扱う需要者が真に求めているニーズを把握することはできず、需要者にデザインを勧めたりすることも難しかった。
【０００７】
そこで、本発明は、クライアントがネイルデザインに関連する情報を広く把握できるようなシステムを提供することを目的とする。
【課題を解決するための手段】
【０００８】
本発明の一実施形態によるデータ管理サーバは、デザインデータに基づき需要者にネイルアートを提供するネイルプリンタと、クライアント端末と、にネットワークを介して接続された管理サーバであって、前記管理サーバは、前記デザインデータの利用履歴データテーブルと、クライアントデータテーブルとを参照し、前記デザインデータの利用に関する集計データを生成し、前記集計データを前記クライアント端末に出力する。
【発明の効果】
【０００９】
本発明によれば、クライアントがネイルデザインに関連する情報を広く把握できるシステムを提供することができる。
【図面の簡単な説明】
【００１０】
【図１】本発明による第１の実施の形態によるシステムの構成図である。
【図２】本発明による第１の実施の形態による管理サーバの機能ブロック図である。
【図３】本発明による第１の実施の形態による管理サーバの制御部の詳細を示した機能ブロック図である。
【図４】本発明による第１の実施の形態による管理サーバのストレージの詳細を示した機能ブロック図である。
【図５】本発明による第１の実施の形態によるデザインデータテーブルの例である。
【図６】本発明による第１の実施の形態による利用履歴テーブルの例である。
【図７】本発明による第１の実施の形態によるクライアントデータテーブルの例である。
【図８】本発明による第１の実施の形態による需要者データテーブルの例である。
【図９】本発明による第１の実施の形態による集計データ出力部の出力結果の一例である。
【図１０】本発明による第１の実施の形態によるクライアント端末の機能ブロック図である。
【図１１】本発明による第２の実施の形態によるシステムの構成図である。
【発明を実施するための形態】
【００１１】
本発明の実施形態の内容を列記して説明する。本発明の実施の形態による管理サーバは、以下のような構成を備える。
［項目１］
デザインデータに基づき需要者にネイルアートを提供するネイルプリンタと、クライアント端末と、にネットワークを介して接続された管理サーバであって、
前記管理サーバは、
前記デザインデータの利用履歴データテーブルと、デザインデータテーブルと、クライアントデータテーブルとを参照し、前記デザインデータの利用に関する集計データを生成し、
前記集計データを前記クライアント端末に出力する、
ことを特徴とする管理サーバ。
［項目２］
項目１に記載のデータ管理サーバであって、
前記管理サーバは、さらに需要者データテーブル を参照して、前記集計データを生成する、
ことを特徴とするデータ管理サーバ。
［項目３］
項目１または２に記載のデータ管理サーバであって、
前記デザインデータは、タグデータ を含み、
前記管理サーバは、さらに前記タグデータを参照して、前記集計データを生成する、
ことを特徴とするデータ管理サーバ。
［項目４］
項目１乃至３に記載のデータ管理サーバであって、
前記管理サーバは、前記集計データに基づき検索または生成された前記デザインデータの画像を、前記クライアント端末または需要者端末において閲覧可能 にする、
ことを特徴とするデータ管理サーバ。
［項目５］
項目１乃至４に記載のデータ管理サーバであって、
前記管理サーバは、前記集計データに基づき、新規のデザインデータを自動生成する 、
ことを特徴とするデータ管理サーバ。
［項目６］
項目１乃至５に記載のデータ管理サーバであって、
前記管理サーバは、前記需要者の識別情報 を判定し、前記クライアント端末または前記ネイルプリンタにて前記需要者がレコメンドされるデザインデータを確認可能とする、
ことを特徴とするデータ管理サーバ。
［項目７］
項目１乃至６に記載のデータ管理サーバであって、
前記データ管理サーバは、
さらに前記ネットワークを介して企業端末に接続されており、
前記企業端末から、企業の販売物またはサービスのデザインまたはコンセプトに関する情報を受信する 、
ことを特徴とするデータ管理サーバ。
［項目８］
デザインデータに基づき需要者にネイルアートを提供するネイルプリンタと、クライアント端末と、にネットワークを介して接続された管理サーバを用いたデータ管理方法であって、
前記管理サーバにより、
前記デザインデータの利用履歴データテーブルと、クライアントデータテーブルとを参照し、前記デザインデータの利用に関する集計データを生成し、
前記集計データを前記クライアント端末に出力する、
ことを特徴とするデータ管理方法。
【００１２】
（第１の実施の形態）
以下、本発明の第１の実施の形態によるデータ管理システムについて、図面を参照しながら説明する。図１は、本発明による第１の実施の形態によるデータ管理システムの構成図である。
【００１３】
図１に示すように、データ管理システムは、管理サーバ１と、管理サーバ１にインターネット等のネットワークを介して接続される、クライアント端末２とネイルプリンタ３とを含む。図１には、１つのクライアント端末２とネイルプリンタ３が図示されているが、複数のクライアント端末２や複数のネイルプリンタ３がネットワークに接続可能であり、情報収集などの観点では、複数台接続されているほうがより好ましい。
【００１４】
管理サーバ１は、ネイルデザインに関連するデータ（以下、ネイル関連データという。）や需要者データなどを記憶しており、ネットワークを介してクライアント端末２及びネイルプリンタ３に対して提供することができる。ネイルデザインに関連するデータとは、例えば、ネイルデザイン自体のデータおよび／または当該データに紐づくタグデータといったネイルデザインデータや、ネイルデザインデータの利用履歴、各ネイルデザインデータの店舗別利用数や地域別利用数、タグデータごとの利用数などといった集計データがあり得る。タグデータとは、例えばネイルデザインを利用するシーン（例えば、ブライダル、パーティ、オフィス、デート、休日など）や対象需要者層（例えば、新婦向け、パーティ参加者向け、ＯＬ向け、主婦向け、学生向けなど）、デザイン（例えば、花柄、チェック、ドット、シンプル、キャラクター、エスニック、レトロ、和柄など）、カラー（例えば、赤、青、黄など）、種類（例えば、ジェル、マニキュアなど）などがあり得る。
【００１５】
クライアント端末２は、管理サーバ１からネイル関連データを取得し、入出力部２４に含まれる表示部から閲覧可能とすることができる。一例としては、ネイルデザインデータの地域別被選択数を閲覧可能とすることができ、これにより、例えば、クライアントが保有する店舗周辺地域におけるネイルデザインのニーズを読み取ることができる。このように、ネイル関連データ（特に、集計データ）を確認することができるため、所定のニーズに合わせたネイルデザインデータを取得または購入し、需要者に提供することが容易となる。なお、管理サーバ１に蓄積された情報が店舗１つ分の情報であったとしても、例えば、店舗内におけるネイルデザインデータの被選択数などを閲覧することで、同様にネイルデザインのニーズを読み取ることができる。また、管理サーバ１側からクライアント端末２へ上記ニーズ等の分析結果を提供するようにしてもよく、その場合、店舗ごとの管理や分析の手間が省略されることとなる。
【００１６】
ネイルプリンタ３は、既知のネイルプリンタであってもよく、管理サーバ１および／またはクライアント端末２からネットワークを経由して、ネイルデザインデータを取得する。そして、動作開始が指示されると、需要者の爪またはネイルチップ上にネイルデザインデータに基づいたネイルアートを施す。ネイルデザインの選択は、ネイルプリンタ３および／またはクライアント端末２から行ってもよいし、需要者端末（不図示）内のアプリケーションから選択情報および／または選択ネイルデザインデータを送信するようにしてもよい。また、一部のネイルデザインデータは、予めネイルプリンタ３に記憶されていてもよい。
【００１７】
クライアント端末２及び需要者端末（不図示）は、例えばワークステーションやパーソナルコンピュータのような汎用コンピュータであってもよいし、或いはスマートフォン、タブレット、携帯端末、その他情報端末等であってもよい。
【００１８】
図２は、本発明による第１の実施の形態による管理サーバ１の機能ブロック図である。なお、図示された構成は一例であり、これ以外の構成を有していてもよい。
【００１９】
図示されるように、管理サーバ１は、データベース(不図示)と接続されシステムの一部を構成する。管理サーバ１は、例えばワークステーションやパーソナルコンピュータのような汎用コンピュータとしてもよいし、或いはクラウド・コンピューティングによって論理的に実現されてもよい。
【００２０】
管理サーバ１は、少なくとも、制御部１０、メモリ１１、ストレージ１２、送受信部１３、入出力部１４等を備え、これらはバス１５を通じて相互に電気的に接続される。
【００２１】
制御部１０は、管理サーバ１全体の動作を制御し、各要素間におけるデータの送受信の制御、及びアプリケーションの実行及び認証処理に必要な情報処理等を行う演算装置である。例えば制御部１０はＣＰＵ（Ｃｅｎｔｒａｌ  Ｐｒｏｃｅｓｓｉｎｇ  Ｕｎｉｔ）および／またはＧＰＵ（Ｇｒａｐｈｉｃｓ  Ｐｒｏｃｅｓｓｉｎｇ  Ｕｎｉｔ）であり、ストレージ１２に格納されメモリ１１に展開されたプログラム等を実行して各情報処理を実施する。
【００２２】
メモリ１１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリやＨＤＤ（Ｈａｒｄ  Ｄｉｓｃ  Ｄｒｉｖｅ）等の不揮発性記憶装置で構成される補助記憶と、を含む。メモリ１１は、制御部１０のワークエリア等として使用され、また、管理サーバ１の起動時に実行されるＢＩＯＳ（Ｂａｓｉｃ  Ｉｎｐｕｔ／Ｏｕｔｐｕｔ  Ｓｙｓｔｅｍ）、及び各種設定情報等を格納する。
【００２３】
ストレージ１２は、アプリケーション・プログラム等の各種プログラムを格納する。各処理に用いられるデータを格納したデータベース(不図示)がストレージ１２に構築されていてもよい。
【００２４】
送受信部１３は、管理サーバ１をネットワークに接続する。なお、送受信部１３は、Ｂｌｕｅｔｏｏｔｈ（登録商標）及びＢＬＥ（Ｂｌｕｅｔｏｏｔｈ  Ｌｏｗ  Ｅｎｅｒｇｙ）の近距離通信インターフェースを備えていてもよい。
【００２５】
入出力部１４は、キーボード・マウス類等の情報入力機器、及びディスプレイ等の出力機器である。
【００２６】
バス１５は、上記各要素に共通に接続され、例えば、アドレス信号、データ信号及び各種制御信号を伝達する。
【００２７】
図３は、本発明による第１の実施の形態による管理サーバの制御部１０の詳細を例示した機能ブロック図であり、図４は、本発明による第１の実施の形態による管理サーバのストレージ１２の詳細を例示した機能ブロック図である。また、必要に応じて図５−８に例示されるデータテーブルを参照する。
【００２８】
なお、管理サーバ１の制御部１０で実行される機能ブロックの全部又は一部は、その性質に応じてクライアント端末２や需要者端末（不図示）の制御部によって実行することも可能である。さらに、ストレージ１２に格納された各テーブルデータの全部又は一部は、ストレージ１２に格納する代わりに、管理サーバ１の内外の任意の記憶領域に格納することも可能である。また、図５−８に図示されたデータ項目は一例であり、これ以外の項目を有していてもよい。
【００２９】
デザインデータ管理部１０１は、デザインデータテーブル２０１を参照して、デザインデータ記憶部２０２に格納されたデザインデータを呼び出したり、デザインデータ記憶部２０２にデザインデータを書き込んだりなど、デザインデータを管理する。デザインデータ記憶部２０２に格納されたデザインデータは、例えば、デザイナー端末（不図示）や需要者端末、クライアント端末などから提供されたデザインデータでもよいが、ネイルデザイン生成部１０２により自動的に生成されたデザインデータであると、容易にデザインデータを蓄積することが可能であり、デザインデータの著作権等の管理も容易である。
【００３０】
ネイルデザイン生成部１０２は、例えば、素材データ記憶部１２３からデザインパターンデータや装飾データなどを取得し、それらを一定条件下で組み合わせて新規のデザインデータを生成する。一定条件とは、例えば集計データ（特に、タグデータごとの集計数など）に基づく条件であり、この条件により需要者のニーズや流行等を判定し、該ニーズ等に沿った新規のデザインデータを生成する。より具体的な例としては、例えば人気のあるデザインデータに用いられている素材同士を組み合わせて新規のデザインデータを生成するようにしてもよいし、各集計データを教師データとして機械学習することでニーズの高いデザインデータを推測し生成するようにしてもよい。なお、新規のデザインデータの生成は、定期的に実施されてもよいし、クライアント端末から生成指示を受信したことによって実施されてもよい。
【００３１】
クライアントデータ管理部１０３及び需要者データ管理部１０４は、各データテーブル１２４及び１２５に基づきデータ管理を行う。なお、需要者データ管理部１０４と需要者データテーブル１２５は詳細なニーズを得るためには必要であるが、個人情報を取得することが困難な場合には、これらは備えられていなくてもよく、その場合でも例えばタグデータに基づきニーズを得ることは可能である。また、各データテーブル１２４及び１２５において、個人情報保護の容易性などの観点から、氏名や住所、電話番号などの個人情報を取得していないが、この観点が許容できる場合には個人情報を適宜取得してもよい。
【００３２】
集計データ処理部１０５は、利用履歴テーブル１２６と、デザインデータテーブル１２１、クライアントデータテーブル１２４および／または需要者データテーブル１２５を参照して、集計データを生成する。集計データは、例えば、各ネイルデザインデータの店舗別利用数や地域別利用数、タグデータごとの利用数などであることができる。さらに各利用数をクライアントの属性（例えば、業態やオーナー情報など）や需要者の属性（例えば、年齢層や職業、在住地域など）で細かく分類してもよく、例えば、異なる業態間での各利用数の傾向比較や、需要者の年齢層および／または職業間での各利用数の傾向比較なども可能である。なお、店舗ごとの需要者の属性傾向の比較など、既知のデータ比較を行うことも可能である。
【００３３】
集計データ出力部１０６は、集計データ処理部１０５により処理された集計データをクライアント端末２へ出力する。例えば、図９のようなレポートを作成してクライアント端末２にて閲覧可能にしてもよい。図９に例示されるように、クライアントの店舗周辺のニーズや流行の傾向をグラフ化して提示するとともに、当該傾向に合致したデザインデータを生成して提示するようにしてもよい。そして、例えば、当該レポートにてデザインデータの画像を選択などすることにより、ネイルプリンタ３にデザインデータが送信されて格納されてもよい。なお、レポート上に提示されるデザインデータは、必ずしも新規のデザインデータである必要はなく、すでにネイルプリンタ３にて利用可能なデザインデータであってもよい。
【００３４】
また、クライアント端末２からの閲覧に限らず、例えば、管理サーバ１を直接的または間接的に用いて運営されるネイルの総合サイトや、クライアント店舗の自社ＨＰなどにあるクライアント店舗を紹介するＷＥＢページに、例えばＵＲＬのリンク等で上述のデザインデータを掲載可能にしてもよい。これにより、従来ＷＥＢページへの掲載のためにモデルを雇用していたコストが削減されるとともに、容易にデザインデータを更新することができるようになる。
【００３５】
また、例えばデザインデータの画像を需要者端末（不図示）のアプリケーション上にて個人用に閲覧可能にしてもよい。この場合、需要者の利用履歴テーブル（不図示。少なくとも利用したデザインデータが把握可能なもの。）を参照して、需要者のニーズの傾向を把握し、当該傾向に合致したデザインデータを生成して提示するようにしてもよい。また、例えば、一般的な来店周期（例えば、２−３週間ごと）や需要者に合った来店周期のデータを基に、管理サーバ１から需要者端末（不図示）へデザインデータの画像や当該画像が閲覧可能なＷＥＢページへのリンクを含むメッセージを送信するようにしてもよい。
【００３６】
さらに、例えば店頭にて需要者端末（不図示）等から需要者ＩＤを取得することで、クライアント端末２および／またはネイルプリンタ３において需要者に対応するレコメンド内容（例えば、需要者端末上のアプリケーションにてレコメンドされているデザインデータなど）を閲覧可能にしてもよい。
【００３７】
図１０は、本発明による第１の実施の形態によるクライアント端末２の機能ブロック図である。図１０に示されるクライアント端末２も需要者端末（不図示）もまた、制御部２０、メモリ２１、ストレージ２２、送受信部２３、入出力部２４等を備え、これらはバス２５を通じて相互に電気的に接続される。クライアント端末２の各要素の機能は、図３または図４の機能については異なるものの、上述した管理サーバ１と同様に構成することが可能であることから、各要素の詳細な説明は省略する。なお、図示された構成は一例であり、これ以外の構成を有していてもよい。
【００３８】
（第２の実施の形態）
図１１は、本発明による第２の実施の形態によるシステムの構成図である。第１の実施の形態によるシステムの構成との違いは、管理サーバ１は、ネットワークを介して、企業端末４（例えば、ファッション関係の提携企業の端末など）と接続している点にある。他の構成は、第１の実施の形態と同等であるので、説明を省略する。
【００３９】
企業端末４は、例えば、新作の販売物またはサービスのデザインおよび／またはコンセプト（例えば、カラーや季節感、対象需要者など）を管理サーバ１に送信する。管理サーバ１では、これらに合わせたデザインデータを検索または生成し提示する。これにより、企業は新作の販売物またはサービスを広める広告ツールとしてネイルアートおよび／またはネイルプリンタ３を利用することが可能となる。なお、ネイルプリンタ３や需要者端末（不図示）において、当該新作の販売物またはサービスに関する情報を提示するようにしてもよく、これらに合わせたデザインデータと共に提示するようにするとなおよい。
【００４０】
なお、第１の実施の形態や第２の実施の形態において、例えばクライアントが加入している利用プラン（例えば、月額課金制などのサブスクリプションなど）に応じて利用可能なデザインデータや閲覧可能な情報を制限してもよい。より具体的な例としては、例えば、通常プランよりも課金したプレミアムプランでは、新規のデザインデータ（第２の実施の形態にある企業の新作に合わせたものを含む）が生成されるようにしてもよいし、閲覧可能な情報が増えるようにしてもよい。
【００４１】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００４２】
１        管理サーバ
２        需要者端末
３        ネイルプリンタ
４        企業端末
【要約】
【課題】クライアントがネイルデザインに関連する情報を広く把握できるようなシステムを提供することを目的とする。
【解決手段】本発明の実施の形態によるデータ管理サーバは、デザインデータに基づき需要者にネイルアートを提供するネイルプリンタと、クライアント端末と、にネットワークを介して接続された管理サーバであって、前記管理サーバは、前記デザインデータの利用履歴データテーブルと、クライアントデータテーブルとを参照し、前記デザインデータの利用に関する集計データを生成し、前記集計データを前記クライアント端末に出力する。
【選択図】図１【図１】
0006683334.tif 000002
【図２】
0006683334.tif 000003
【図３】
0006683334.tif 000004
【図４】
0006683334.tif 000005
【図５】
0006683334.tif 000006
【図６】
0006683334.tif 000007
【図７】
0006683334.tif 000008
【図８】
0006683334.tif 000009
【図９】
0006683334.tif 000010
【図１０】
0006683334.tif 000011
【図１１】
0006683334.tif 000012